(57)【要約】【課題】多くの情報が表示可能なラベルを簡単な操作で出力することが可能なラベル印刷システムを、既存のシステムを拡張することによって効率的に提供すること。【解決手段】記憶されているテンプレートを表示し、表示されたテンプレートのいずれかを選択させる選択画面を表示するための表示情報を出力し、表示されたテンプレートに含まれる文字情報や画像情報を記憶されている情報から選択させる選択画面を表示するための表示情報を出力し、選択されたテンプレートに基づいて変換されたラベルの画像情報を、予め登録されている商品の情報を示すラベルとの合成のために出力するＰＯＰラベルアプリケーション１０４を含むことを特徴とする。【選択図】図３
2014010768.tif 000002
【特許請求の範囲】
【請求項１】
商品に添付するラベルであって予め登録されている商品に関する情報が表示される第１の領域の画像情報及び追加の情報が表示される第２の領域の画像情報を合成して印刷装置に印刷出力させるラベル印刷システムであって、
前記第２の領域のテンプレートを構成するための情報であって少なくとも文字情報及び画像情報を含むラベル要素及び前記ラベル要素の配置関係を示す配置情報を記憶している情報記憶部と、
記憶されている前記配置情報及びラベル要素に基づいて前記第２の領域のテンプレートを表示し、表示されたテンプレートのいずれかを選択させるテンプレート選択画面を表示するための表示情報を出力するテンプレート選択画面出力部と、
表示された前記テンプレートに含まれる前記ラベル要素を、前記情報記憶部に記憶されているラベル要素の情報から選択させるラベル要素選択画面を表示するための表示情報を出力するラベル要素選択画面出力部と、
前記テンプレート選択画面において選択されたテンプレートに基づいて変換された前記第２の領域の画像情報を前記第１の領域の画像情報との合成のために出力する画像情報出力部とを含むことを特徴とするラベル印刷システム。
【請求項２】
前記画像情報出力部は、前記第１の領域の画像情報及び前記第２の領域の画像情報を合成する画像合成部から通知された記憶領域に前記第２の領域の画像情報を格納することにより出力することを特徴とする請求項１に記載のラベル印刷システム。
【請求項３】
前記テンプレート選択画面出力部は、前記第１の領域の画像情報及び前記第２の領域の画像情報を合成する画像合成部から通知された情報に基づいて前記テンプレート選択画面に表示させる前記第２の領域のテンプレートを絞り込むことを特徴とする請求項１または２に記載のラベル印刷システム。
【請求項４】
前記ラベル要素選択画面出力部は、前記テンプレートに含まれる前記ラベル要素を、前記情報記憶部に既に記憶されているラベル要素の情報のみから選択可能な第１のモードと、前記情報記憶部に新たに前記ラベル要素を記憶させることにより、新たに登録されたラベル要素も選択可能な第２のモードとを切り替え可能であることを特徴とする請求項１乃至３いずれか１項に記載のラベル印刷システム。
【請求項５】
前記ラベル要素選択画面出力部は、前記第２のモードにおいて前記ラベル要素として文字情報が登録される際に、既に前記配置情報が選択されて前記文字情報を表示させるための領域のサイズが特定されている場合には、前記領域のサイズに応じて前記文字情報の文字数を制限することを特徴とする請求項４に記載のラベル印刷システム。
【請求項６】
前記ラベル要素選択画面出力部は、前記第２のモードにおいて前記ラベル要素として撮像装置によって撮像された画像情報が登録される際に、既に前記配置情報が選択されて前記画像情報を表示させるための領域のサイズが特定されている場合には、前記撮像装置を制御するための制御用画面であって前記撮像装置によって認識されている画像を示す画面内に前記領域のサイズに応じた枠を表示させることを特徴とする請求項４に記載のラベル印刷システム。
【請求項７】
前記画像情報出力部は、前記ラベル要素選択画面において前記ラベル要素が選択された後に出力した画像の前記テンプレートを表示するための前記配置情報を前記情報記憶部に記憶させることを特徴とする請求項１乃至６いずれか１項に記載のラベル印刷システム。
【請求項８】
商品に添付するラベルであって予め登録されている商品に関する情報が表示される第１の領域の画像情報及び追加の情報が表示される第２の領域の画像情報を合成して印刷装置に印刷出力させるラベル印刷システムにおいて前記第２の領域の画像情報を出力する画像出力プログラムであって、
前記第２の領域のテンプレートを構成するための情報であって少なくとも文字情報及び画像情報を含むラベル要素及び前記ラベル要素の配置関係を示す配置情報に基づいて前記第２の領域のテンプレートを表示し、表示されたテンプレートのいずれかを選択させるテンプレート選択画面を表示するための表示情報を出力するステップと、
表示された前記テンプレートに含まれる前記ラベル要素を、前記情報記憶部に記憶されているラベル要素の情報から選択させるラベル要素選択画面を表示するための表示情報を出力するステップと、
前記テンプレート選択画面において選択されたテンプレートに基づいて変換された前記第２の領域の画像情報を前記第１の領域の画像情報との合成のために出力するステップとを情報処理装置に実行させることを特徴とする画像出力プログラム。
【請求項９】
商品に添付するラベルであって予め登録されている商品に関する情報が表示される第１の領域の画像情報及び追加の情報が表示される第２の領域の画像情報を合成して印刷装置に印刷出力させるラベル印刷システムにおいて前記第２の領域の画像情報を出力する画像出力装置であって、
前記第２の領域のテンプレートを構成するための情報であって少なくとも文字情報及び画像情報を含むラベル要素及び前記ラベル要素の配置関係を示す配置情報を記憶している情報記憶部と、
記憶されている前記配置情報及びラベル要素に基づいて前記第２の領域のテンプレートを表示し、表示されたテンプレートのいずれかを選択させるテンプレート選択画面を表示するための表示情報を出力するテンプレート選択画面出力部と、
表示された前記テンプレートに含まれる前記ラベル要素を、前記情報記憶部に記憶されているラベル要素の情報から選択させるラベル要素選択画面を表示するための表示情報を出力するラベル要素選択画面出力部と、
前記テンプレート選択画面において選択されたテンプレートに基づいて変換された前記第２の領域の画像情報を前記第１の領域の画像情報との合成のために出力する画像情報出力部とを含むことを特徴とする画像出力装置。
【発明の詳細な説明】
【技術分野】
【０００１】
本発明は、ラベル印刷システム、画像出力プログラム及び画像出力装置に関し、特に、簡易な操作でラベルの印刷出力が可能なラベル印刷システムに関する。
【背景技術】
【０００２】
従来、農作物等に添付する価格や産地表示のラベルを出力する手段として、ＰＣ（Ｐｅｒｓｏｎａｌ  Ｃｏｍｐｕｔｅｒ）に生産者コード等を入力し、ＰＣに接続されたプリンタによってラベルを印刷する方法が用いられている（例えば、特許文献１参照）。
【発明の概要】
【発明が解決しようとする課題】
【０００３】
従来のラベル印刷のシステムにおいては、品目、生産地、出荷日、バーコード、価格等の文字や符号化された情報を白黒印刷によって出力するシステムが一般的であった。これに対して、農産物等の安全性の面等で消費者に安心感を与える目的や、商品の品質をアピールする目的等のために、生産者の顔写真やキャッチコピー等がカラーで表示されたラベルを添付することが求められる。
【０００４】
このような要望に対して、従来のシステムにおいてもＰＣを用いているものがあるため、ＰＣによって編集された画像をカラープリンタによって印刷出力することにより、そのようなラベルを出力することは可能である。しかしながら、ＰＣに備わっている一般的なアプリケーション等の機能によって上述したようなラベルの出力を行うことができるのはＰＣの操作に精通したユーザであり、上述した生産者の多くがそのような操作が可能とは限らない。
【０００５】
そのため、直感的な操作によって上述したようなカラーのラベルを出力可能なシステムの構築が求められる。その際、既に運用されている白黒のラベルのシステムとは別個に新たなシステムを構築すると、開発負荷の増大や、既に運用されているシステムにおいて蓄積されている情報の活用が困難になる等、リソース活用の面で非効率である。
【０００６】
本発明は、このような課題を解決するためになされたものであり、多くの情報が表示可能なラベルを簡単な操作で出力することが可能なラベル印刷システムを、既存のシステムを拡張することによって効率的に提供することを目的とする。
【課題を解決するための手段】
【０００７】
上記課題を解決するために、本発明の一態様は、商品に添付するラベルであって予め登録されている商品に関する情報が表示される第１の領域の画像情報及び追加の情報が表示される第２の領域の画像情報を合成して印刷装置に印刷出力させるラベル印刷システムであって、前記第２の領域のテンプレートを構成するための情報であって少なくとも文字情報及び画像情報を含むラベル要素及び前記ラベル要素の配置関係を示す配置情報を記憶している情報記憶部と、記憶されている前記配置情報及びラベル要素に基づいて前記第２の領域のテンプレートを表示し、表示されたテンプレートのいずれかを選択させるテンプレート選択画面を表示するための表示情報を出力するテンプレート選択画面出力部と、表示された前記テンプレートに含まれる前記ラベル要素を、前記情報記憶部に記憶されているラベル要素の情報から選択させるラベル要素選択画面を表示するための表示情報を出力するラベル要素選択画面出力部と、前記テンプレート選択画面において選択されたテンプレートに基づいて変換された前記第２の領域の画像情報を前記第１の領域の画像情報との合成のために出力する画像情報出力部とを含むことを特徴とする。
【０００８】
本発明の他の態様は、商品に添付するラベルであって予め登録されている商品に関する情報が表示される第１の領域の画像情報及び追加の情報が表示される第２の領域の画像情報を合成して印刷装置に印刷出力させるラベル印刷システムにおいて前記第２の領域の画像情報を出力する画像出力プログラムであって、前記第２の領域のテンプレートを構成するための情報であって少なくとも文字情報及び画像情報を含むラベル要素及び前記ラベル要素の配置関係を示す配置情報に基づいて前記第２の領域のテンプレートを表示し、表示されたテンプレートのいずれかを選択させるテンプレート選択画面を表示するための表示情報を出力するステップと、表示された前記テンプレートに含まれる前記ラベル要素を、前記情報記憶部に記憶されているラベル要素の情報から選択させるラベル要素選択画面を表示するための表示情報を出力するステップと、前記テンプレート選択画面において選択されたテンプレートに基づいて変換された前記第２の領域の画像情報を前記第１の領域の画像情報との合成のために出力するステップとを情報処理装置に実行させることを特徴とする。
【０００９】
本発明の更に他の態様は、商品に添付するラベルであって予め登録されている商品に関する情報が表示される第１の領域の画像情報及び追加の情報が表示される第２の領域の画像情報を合成して印刷装置に印刷出力させるラベル印刷システムにおいて前記第２の領域の画像情報を出力する画像出力装置であって、前記第２の領域のテンプレートを構成するための情報であって少なくとも文字情報及び画像情報を含むラベル要素及び前記ラベル要素の配置関係を示す配置情報を記憶している情報記憶部と、記憶されている前記配置情報及びラベル要素に基づいて前記第２の領域のテンプレートを表示し、表示されたテンプレートのいずれかを選択させるテンプレート選択画面を表示するための表示情報を出力するテンプレート選択画面出力部と、表示された前記テンプレートに含まれる前記ラベル要素を、前記情報記憶部に記憶されているラベル要素の情報から選択させるラベル要素選択画面を表示するための表示情報を出力するラベル要素選択画面出力部と、前記テンプレート選択画面において選択されたテンプレートに基づいて変換された前記第２の領域の画像情報を前記第１の領域の画像情報との合成のために出力する画像情報出力部とを含むことを特徴とする。
【発明の効果】
【００１０】
本発明によれば、多くの情報が表示可能なラベルを簡単な操作で出力することが可能なラベル印刷システムを、既存のシステムを拡張することによって効率的に提供することができる。
【図面の簡単な説明】
【００１１】
【図１】本発明の実施形態に係るシステムの運用形態を示す図である。
【図２】本発明の実施形態に係る情報処理装置のハードウェア構成を模式的に示すブロック図である。
【図３】本発明の実施形態に係るＰＣの機能構成を示すブロック図である。
【図４】本発明の実施形態に係るシステムの動作を示すシーケンス図である。
【図５】本発明の実施形態に係る画面の表示例を示す図である。
【図６】本発明の実施形態に係るユーザ情報の例を示す図である。
【図７】本発明の実施形態に係る画面の表示例を示す図である。
【図８】本発明の実施形態に係る画面の表示例を示す図である。
【図９】本発明の実施形態に係るシステムにおいて登録されているコメントの情報の例を示す図である。
【図１０】本発明の実施形態に係る画面の表示例を示す図である。
【図１１】本発明の実施形態に係るシステムにおいて登録されているコメントの情報の例を示す図である。
【図１２】本発明の実施形態に係る画面の表示例を示す図である。
【図１３】本発明の実施形態に係るシステムにおいて登録されている画像情報の例を示す図である。
【図１４】本発明の実施形態に係る画面の表示例を示す図である。
【図１５】本発明の実施形態に係るシステムにおいて出力されるラベルの例を示す図である。
【図１６】本発明の他の実施形態に係るシステムの運用形態を示す図である。
【図１７】本発明の他の実施形態に係るＰＣの機能構成を示すブロック図である。
【発明を実施するための形態】
【００１２】
以下、図面を参照して、本発明の実施形態を詳細に説明する。本実施形態においては、ＰＣを操作することにより、ＰＣに接続されたプリンタによって商品に添付するラベルを印刷するラベル印刷システムにおいて、従来の白黒のラベルと新たに拡張されるカラーのラベルとが合成されたラベルを簡単な操作で出力可能とするシステムを例として説明する。
【００１３】
図１は、本実施の形態に係るシステムの運用形態の例を示す図である。図１に示すように、本実施形態に係るシステムは、ＰＣ（Ｐｅｒｓｏｎａｌ  Ｃｏｍｐｕｔｅｒ）１及びローカルプリンタ２を含む。本実施形態においては、ローカルプリンタ２がＰＣ１に接続されてシステムが構成されている。ＰＣ１は、ユーザが操作する情報処理端末であり、本実施形態に係るシステムの機能を実現するアプリケーション・プログラムがインストールされている。
【００１４】
ローカルプリンタ２は画像形成装置であり、上述したように、ＵＳＢ等のインタフェースを介してＰＣ１に直接接続されている。また、無線のインタフェースによりＰＣ１とローカルプリンタ２とを接続することも可能であり、具体的には、Ｂｌｕｅｔｏｏｔｈ（登録商標）による接続等を用いることが可能である。ローカルプリンタ２は、ＰＣ１からのコマンドに基づいて画像形成出力を実行する。
【００１５】
次に、本実施形態に係るＰＣ１のハードウェア構成について説明する。図２は、本実施形態に係るＰＣ１のハードウェア構成を示すブロック図である。図２に示すように、本実施形態に係るＰＣ１は、一般的なサーバやＰＣ（Ｐｅｒｓｏｎａｌ  Ｃｏｍｐｕｔｅｒ）等と同様の構成を含む。即ち、本実施形態に係るＰＣ１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００１６】
ＣＰＵ１０は演算手段であり、ＰＣ１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００１７】
Ｉ／Ｆ５０は、バス８０と各種のハードウェアやネットワーク等を接続し制御する。ＬＣＤ６０は、配信サーバ２の状態を確認するための視覚的ユーザインタフェースである。操作部７０は、キーボードやマウス、タッチパネル等、ユーザがＰＣ１、ＰＣ２に情報を入力するためのユーザインタフェースである。尚、タッチパネルが用いられる場合、ＬＣＤ６０と操作部７０とが一体に構成される。
【００１８】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０の制御に従って動作することにより、ソフトウェア制御部が構成される。このようにして構成されたソフトウェア制御部と、ハードウェアとの組み合わせによって、本実施形態に係るＰＣ１、ＰＣ２の機能を実現する機能ブロックが構成される。
【００１９】
次に、本実施形態に係るＰＣ１の機能構成について、図３を参照して説明する。図３に示すように、本実施形態に係るＰＣは、上述したＬＣＤ６０及び操作部７０に加えて、コントローラ１００及びネットワークＩ／Ｆ１１０を含む。また、コントローラ１００は、ＵＩ（Ｕｓｅｒ  Ｉｎｔｅｒｆａｃｅ）制御部１０１、通信制御部１０２、ＰＯＳ（Ｐｏｉｎｔ  Ｏｆ  Ｓａｌｅ）アプリケーション１０３、ＰＯＰ（Ｐｏｉｎｔ  Ｏｆ  Ｐｕｒｃｈａｓｅ）ラベルアプリケーション１０４及びプリンタドライバ１０５を含む、
【００２０】
ネットワークＩ／Ｆ１１０は、ＰＣ１がネットワークを介して他の機器と通信するためのインタフェースであり、Ｅｔｈｅｒｎｅｔ（登録商標）やＵＳＢインタフェースが用いられる。ネットワークＩ／Ｆ１１０は、図２に示すＩ／Ｆ５０によって実現される。
【００２１】
コントローラ１００は、ソフトウェアとハードウェアとの組み合わせによって構成される。具体的には、ＲＯＭ３０や不揮発性メモリ並びにＨＤＤ４０や光学ディスク等の不揮発性記憶媒体に格納されたプログラムが、ＲＡＭ２０等の揮発性メモリ（以下、メモリ）にロードされ、ＣＰＵ１０がそのプログラムに従って演算を行うことにより構成されるソフトウェア制御部と集積回路などのハードウェアとによってコントローラ１００が構成される。コントローラ１００は、ＰＣ１において、装置全体を制御する制御部である。
【００２２】
ＵＩ制御部１０４は、操作部７０やＬＣＤ６０等のユーザインタフェースと、各種のアプリケーション及びプリンタドライバ１０５等のコントローラ１００内部の構成との情報のやり取りを制御する。例えば、ＵＩ制御部７０は、操作部７０に対するユーザの操作により入力された情報を、アプリケーションやプリンタドライバ１０５に通知する。
【００２３】
また、ＵＩ制御部１０４は、アプリケーションやプリンタドライバ１０５等のＧＵＩ（Ｇｒａｐｈｉｃａｌ  Ｕｓｅｒ  Ｉｎｔｅｒｆａｃｅ）をＬＣＤ６０に表示させる。通信制御部１０１は、ネットワークＩ／Ｆ１０５を介して他の機器から情報を受信すると共に、ネットワークＩ／Ｆ１１０を介して他の機器に情報を送信する。
【００２４】
ＰＯＳアプリケーション１０３は、従来から利用されている白黒の商品ラベルを生成して印刷出力するためのソフトウェア・プリケーションである。但し、本実施形態に係るＰＯＳアプリケーション１０３は、本実施形態の要旨に係る機能に対応するための機能の拡張が図られている。ＰＯＰラベルアプリケーション１０４は、本実施形態の要旨に係る構成であり、カラーの商品ラベルを生成する機能や、それらのラベルを簡単な操作で生成、出力するための機能を含む。
【００２５】
プリンタドライバ１０５は、ＰＣ１において動作するアプリケーションの動作に応じて、ローカルプリンタ４に画像形成出力を実行させるための印刷ジョブを生成し、通信制御部１０２に送信させる。本実施形態に係るプリンタドライバ１０５は、ＰＯＳアプリケーション１０３の処理に応じて、印刷ジョブを生成して出力する。
【００２６】
次に、本実施形態に係るシステムの動作について、図４を参照して説明する。図４に示すように、まずは、ＰＯＳアプリケーション１０３が、操作部７０に対するユーザの操作に応じてログイン処理を行う（Ｓ４０１）。Ｓ４０１の処理に際して、ユーザは操作部７０を制御することによりユーザＩＤや自身の氏名等、自身を特定するための情報を入力する。これにより、Ｓ４０１においてＰＯＳアプリケーション１０３は、ユーザを識別するための識別情報を生成する。
【００２７】
次に、ＰＯＳアプリケーション１０３は、操作部７０に対するユーザの操作に応じて、ラベルを出力する対象の商品の選択を受け付ける（Ｓ４０２）。商品選択を受け付けたＰＯＳアプリケーション１０３は、ログインしたユーザや選択された商品に関する情報に加えて、ＰＯＰラベルアプリケーション１０４によって生成されるカラーラベルの画像の格納先を示す情報をＰＯＰラベルアプリケーション１０４に通知する（Ｓ４０３）。
【００２８】
ＰＯＳアプリケーション１０３から情報を取得したＰＯＰラベルアプリケーション１０４は、まずＵＩ制御部１０１を介してＬＣＤ６０にＧＵＩ（Ｇｒａｐｈｉｃａｌ  Ｕｓｅｒ  Ｉｎｔｅｒｆａｃｅ）を表示させる（Ｓ４０４）。図５（ａ）は、本実施形態に係るＰＯＰラベルアプリケーション１０４のＧＵＩを示す図である。図５（ａ）に示すように、本実施形態に係るＰＯＰラベルアプリケーション１０４は、“ラベル編集”、“ラベル決定”、“ラベル削除”、“管理者モード”等の操作ボタンとしてのインタフェースに加えて、予め登録されている複数のラベルのテンプレートを選択可能に表示するようにＧＵＩを表示するための表示情報を生成する。即ち、図５（ａ）に示すＧＵＩは、ラベルのテンプレートの選択画面であり、ＰＯＰラベルアプリケーション１０４がテンプレート選択画面出力部として機能する。
【００２９】
“ラベル編集”ボタンは、ＧＵＩにおいて選択されているテンプレートを編集するための編集画面を表示させるための操作部である。“ラベル決定”ボタンは、ＧＵＩにおいて選択されているテンプレートを出力対象のラベルとして決定するための操作部である。“ラベル削除”ボタンは、ＧＵＩにおいて選択されているテンプレートを削除するための操作部である。
【００３０】
また、図５（ａ）において“Ａ山Ｂ太さんのＰＯＰラベル一覧”と表示されているように、本実施形態に係るＰＯＰラベルアプリケーション１０４は、ＰＯＳアプリケーション１０３から取得したユーザを識別するための情報に基づき、予め登録されているラベルのテンプレートを絞り込んで表示情報を生成する。これにより、ユーザがラベルのテンプレートを選択するための操作負担を軽減することが可能である。そのため、ＰＯＰラベルアプリケーション１０４は、ユーザを識別するための情報とそのユーザがログインしている際に表示させるべきテンプレートとを関連付ける情報を保持している。
【００３１】
また、図５（ａ）に“管理者モード”として示すように、本実施形態に係るＰＯＰラベルアプリケーション１０４は第１のモードである「通常モード」と第２のモードである「管理者モード」とを有し、夫々のモードでＧＵＩ上に表示させる内容を変更する。図５（ａ）は「通常モード」のＧＵＩを示す図であり、図５（ｂ）が「管理者モード」のＧＵＩを示す図である。
【００３２】
図５（ｂ）に示すように、「管理者モード」のＧＵＩにおいては、「通常モード」において表示されていた内容に加えて、“長いコメント”、“短いコメント”、“写真登録”、“新規テンプレート”及び“写真撮影”のボタンが表示されている。“長いコメント”ボタンは、夫々のテンプレートに含まれるコメント領域のうち、比較的長いコメントを表示させる欄のコメント内容を編集する画面を表示させるための操作部である。
【００３３】
“短いコメント”ボタンは、夫々のテンプレートに含まれるコメント領域のうち、比較的短いコメントを表示させる欄のコメント内容を編集する画面を表示させるための操作部である。“写真登録”は、夫々のテンプレートに含まれる画像表示領域に表示させるための写真をＰＯＰラベルアプリケーション１０４のテンプレートとして登録するための操作部である。
【００３４】
“新規テンプレート”ボタンは、既に登録されているテンプレートを編集するのではなく、新たにテンプレートを作成する画面を表示させるための操作部である。“写真撮影”ボタンは、ＰＣ１に接続されているＷｅｂカメラ等の撮像装置により写真を撮影し、夫々のテンプレートに含まれる画像表示領域に表示させるための写真をＰＯＰラベルアプリケーション１０４のテンプレートとして登録するための操作部である。
【００３５】
このように、図５（ｂ）に示す「管理者モード」のＧＵＩにおいては、「通常モード」のＧＵＩよりもテンプレートを自由に編集することが可能である。換言すると、本実施形態に係るＰＯＰラベルアプリケーション１０４の「通常モード」と「管理者モード」との区分けの意義は、ありケーションの操作に精通しているユーザには「管理者モード」において豊富なインタフェースを提供し、操作に精通していないユーザには、「通常モード」において容易な操作のみを行わせることにある。
【００３６】
そのため、本実施形態に係るＰＯＰラベルアプリケーション１０４に「通常モード」と「管理者モード」とを切り替える際に特に認証処理は不要である。但し、上述したようにＳ４０３においてＰＯＳアプリケーション１０３からユーザを識別するための情報を取得しているため、ＰＯＰラベルアプリケーション１０４が図６に示すようなユーザＩＤと管理者権限の有無とを関連付けた情報を保持していれば、「通常モード」と「管理者モード」との切り替えの可否を判断することが可能である。
【００３７】
図５（ａ）、（ｂ）に示す“ラベル編集”ボタンによって表示されるラベル編集用の画面の例を図７に示す。図７に示すように、本実施形態に係るラベルのテンプレートは、短コメント表示領域５０１、長コメント表示領域５０２及び画像表示領域５０３を含む。図７に示すように、短コメント表示領域５０１及び長コメント表示領域５０２は、破線で囲まれた領域として表示されている。これは、ラベルを編集するユーザが領域の範囲を認識可能なように表示されているものであり、実際のラベルにおいて破線は表示されない。
【００３８】
図７に示すように、本実施形態に係るラベルのテンプレートの情報は、文字情報や画像等が所定サイズの範囲にレイアウトされた情報である。この文字情報や画像等が、ラベル上においてレイアウトされるラベル要素である。このようなラベル要素が、それらの配置関係を示す配置情報によってレイアウトされてラベルのテンプレートが構成される。
【００３９】
そして、そのようなレイアウト上に表示される情報の選択、変更等を簡単な操作で行うことが本実施形態に係る要旨の１つである。そのため、本実施形態に係るレイアウトの情報は、ＸＭＬ（ｅＸｔｅｎｓｉｂｌｅ  Ｍａｒｋｕｐ  Ｌａｎｇｕａｇｅ）等のマークアップ言語によって記述された形式の情報として、ＨＤＤ４０等のＰＣ１に設けられた記憶媒体や、ＰＣ１がネットワークを介してアクセス可能な記憶媒体に格納されている。尚、テンプレートの情報形式としては、上述したＸＭＬ形式の情報の他、ＰＯＰラベルアプリケーション１０４専用の独自の情報形式を用いることも可能である。
【００４０】
図７に示すような夫々の領域がユーザによる操作部７０に対する操作によって選択されると、ＰＯＰラベルアプリケーション１０４は、選択された領域を編集するための編集画面を表示させる。ここで、本実施形態において表示される夫々の領域を編集するための編集画面は、予め登録されている情報を選択するための画面である。そのため、アプリケーションの操作に慣れていないユーザであっても、編集したい領域を選択した上で表示させたい内容を選択する簡単な操作だけで編集を完了することができる。
【００４１】
図８（ａ）は、図７に示す短コメント表示領域５０１が選択された場合の短コメント選択画面を示す図である。図８（ａ）に示すように、短コメント選択画面においては、“ＸＸＸＸ農園”、“ＸＸＸＸ花園”、“ＸＸ＜改行＞ＸＸＸＸ”、“ＸＸＸＸ”のように、比較的短い文字情報を選択するためのインタフェースが表示されている。このような画面を表示するためには、夫々の文字情報が短コメントして予め登録されている必要がある。そのため、ＰＯＰラベルアプリケーション１０４は、図９に示すように、比較的短いコメントが予め登録された短コメントデータベースを保持しており、図９に示すような情報に基づいて図８（ａ）に示す画面を表示するための表示情報を生成する。
【００４２】
尚、短コメントデータベースにおいては、図９に示す情報の他、図６において説明したようなユーザＩＤが関連付けられていても良い。これにより、Ｓ４０３において通知されたユーザの識別情報に基づき、図８（ａ）に示す短コメントを絞り込むことが可能となる。
【００４３】
図８（ｂ）は、ＰＯＰラベルアプリケーション１０４が「管理者モード」である場合において、図７に示す短コメント表示領域５０１が選択された場合の短コメント選択画面を示す図である。図８（ｂ）に示すように、「管理者モード」の短コメント選択画面においては、図８（ａ）において説明したインタフェースに加えて、“新規登録”、“削除”、“編集”のボタンが表示されている。
【００４４】
“新規登録”は、短コメントを新たに登録するための操作部である。“新規登録”が選択された場合、ＰＯＰラベルアプリケーション１０４は、文字情報を入力するための入力欄をＬＣＤ６０に表示させる。ユーザは、このようにして表示された入力欄において、ＰＣ１に接続されているキーボードやＬＣＤ６０上に表示されたソフトウェアキーボードによって任意の文字情報を入力する。このようにして入力された文字情報は、図９に示す短コメントデータベースに登録される。
【００４５】
尚、図５（ｂ）に示す「管理モード」のＧＵＩにおいて“短いコメント登録”のボタンが操作された場合も同様に、ＰＯＰラベルアプリケーション１０４は、文字情報を入力するための入力欄をＬＣＤ６０に表示させ、ユーザによって入力された文字情報を短コメントデータベースに登録する。
【００４６】
尚、短コメント表示領域５０１は、その名の通り比較的短いコメントを表示するための領域である。文字を表示させるためのフォントサイズを調整することによってある程度の文字数を表示することは可能であるが、フォントサイズを小さくし過ぎると文字の識別が困難になってしまう。従って、ＰＯＰラベルアプリケーション１０４は、短コメントの登録可能文字数を制限することが好ましい。このような処理により、長過ぎる文字情報が登録されてしまい、テンプレート上でフォントサイズが小さくなってしまうことや、文字情報の表示が途中で途切れてしまうようなことを防ぎ、文字情報を好適に表示することができる。
【００４７】
ここで、図５（ａ）、（ｂ）に示す様々なテンプレートにおける短コメント表示領域５０１は夫々領域サイズが異なる場合もあり得るため、夫々のテンプレート毎に表示可能な最大の文字数も異なることが考えられる。これに対して、図７に示す画面を経ている場合、コメント表示の対象とするテンプレートは既に選択されているため、ＰＯＰラベルアプリケーション１０４は、短コメントの登録可能文字数を制限する際に、選択されているテンプレートの短コメント表示領域５０１のサイズに応じて登録可能文字数を制限することが好ましい。これにより上述した文字情報の表示を好適に行う効果をより効果的に得ることが可能である。
【００４８】
“削除”は、既に登録されている短コメントの登録を削除するための操作部である。短コメントを削除する場合、ユーザは、図８（ｂ）に示す画面において短コメントを選択した上で、“削除”ボタンを操作する。これにより、ＰＯＰラベルアプリケーション１０４は、選択された短コメントを図９に示す短コメントデータベースから削除する。
【００４９】
“編集”は、既に登録されている短コメントの内容を改変するための操作部である。短コメントを編集する場合、ユーザは、図８（ｂ）に示す画面において短コメントを選択した上で、“編集”ボタンを操作する。これにより、ＰＯＰラベルアプリケーション１０４は、選択された短コメントを編集するための画面を表示させる。このように表示された画面において、ユーザは、上述した新規登録の場合と同様にＰＣ１に接続されているキーボードやＬＣＤ６０上に表示されたソフトウェアキーボードによって任意の文字情報を入力する。このようにして入力された文字情報に基づき、図９に示す短コメントデータベースが更新される。
【００５０】
このような処理により短コメントデータベースが更新されると、ＰＯＰラベルアプリケーション１０４は、更新された短コメントデータベースに基づいて図８（ｂ）に示す画面の表示を更新する。これにより、上述した新規登録、編集、削除等が反映された短コメント選択画面が表示される。
【００５１】
図１０（ａ）は、図７に示す長コメント表示領域５０２が選択された場合の長コメント選択画面を示す図である。図１０（ａ）に示すように、長コメント選択画面においては、比較的長い文字情報を選択するためのインタフェースが表示されている。このような画面を表示するためには、夫々の文字情報が長コメントして予め登録されている必要がある。そのため、ＰＯＰラベルアプリケーション１０４は、図１１に示すように、比較的長いコメントが予め登録された長コメントデータベースを保持しており、図１１に示すような情報に基づいて図１０（ａ）に示す画面を表示するための表示情報を生成する。
【００５２】
尚、長コメントデータベースにおいても、短コメントデータベースと同様に、図１１に示す情報の他、図６において説明したようなユーザＩＤが関連付けられていても良い。これにより、Ｓ４０３において通知されたユーザの識別情報に基づき、図１０（ａ）に示す長コメントを絞り込むことが可能となる。
【００５３】
図１０（ｂ）は、ＰＯＰラベルアプリケーション１０４が「管理者モード」である場合において、図７に示す長コメント表示領域５０２が選択された場合の長コメント選択画面を示す図である。図１０（ｂ）に示すように、「管理者モード」の長コメント選択画面においては、短コメント選択画面の場合と同様に、コメント内容の新規登録、改変、削除等を行うための操作部が表示されている。このような操作部により短コメントの場合と同様に長コメントデータベースの更新が可能であり、長コメント選択画面における長コメントの選択肢の表示を変更することが可能となる。
【００５４】
また、短コメントの場合と同様に、図５（ｂ）に示す「管理モード」のＧＵＩにおいて“長コメント登録”のボタンが操作された場合には、図１０（ｂ）の“新規登録”のボタンが操作された場合と同様に処理が実行される。また、ＰＯＰラベルプリンタ１０４が、長コメント表示領域５０２に表示可能なように長コメントの登録可能文字数を制限することや、図７に示す画面を経ている場合に、選択されているテンプレートの長コメント表示領域５０２のサイズに応じて登録可能文字数を制限することも同様である。
【００５５】
図１２（ａ）は、図７に示す画像表示領域５０３が選択された場合の画像選択画面を示す図である。図１２（ａ）に示すように、画像選択画面においては、画像を選択するためのインタフェースが表示されている。このような画面を表示するためには、夫々の画像の情報が予め登録されている必要がある。そのため、ＰＯＰラベルアプリケーション１０４は、図１３に示すように、画像の格納先を示す“ファイルパス”が予め登録された画像データベースを保持しており、図１３に示すような情報に基づいて図１２（ａ）に示す画面を表示するための表示情報を生成する。
【００５６】
画像データベースにおいても、短コメントデータベースと同様に、図１３に示す情報の他、図６において説明したようなユーザＩＤが関連付けられていても良い。これにより、Ｓ４０３において通知されたユーザの識別情報に基づき、図１２（ａ）に示す長コメントを絞り込むことが可能となる。
【００５７】
尚、図９、図１１、図１３に示す各データベースの情報、図１２に示すように画像選択画面において選択可能な画像の情報、並びに図７に示すようなラベルのテンプレートとなるマークアップ言語によって記述された情報は、ＰＯＰラベルアプリケーション１０４によって管理され、ＨＤＤ４０等のＰＣ１に設けられた記憶媒体に格納されている。即ち、ＰＯＰラベルアプリケーション１０４及びＨＤＤ４０が情報記憶部として機能する。
【００５８】
また、本実施形態に係るシステムにおいては、図７、図８（ａ）、（ｂ）、図１０（ａ）、（ｂ）、図１２（ａ）、（ｂ）に示すような画面において、ラベルのテンプレート上に配置された画像や文字情報等のラベル要素が選択される。即ち、上記夫々の画面は、ラベル要素選択画面として用いられ、ＰＯＰラベルアプリケーション１０４はラベル要素選択画面出力部として機能する。
【００５９】
図１２（ｂ）は、ＰＯＰラベルアプリケーション１０４が「管理者モード」である場合において、図７に示す画像表示領域５０３が選択された場合の画像選択画面を示す図である。図１２（ｂ）に示すように、「管理者モード」の画像選択画面においては、短コメント選択画面の場合と同様に、画像の新規登録、改変、削除等を行うための操作部が表示されている。このような操作部により短コメントの場合と同様に画像データベースの更新が可能であり、画像選択画面における長コメントの選択肢の表示を変更することが可能となる。
【００６０】
更に、図１２（ｂ）に示すように、ＰＯＰラベルアプリケーション１０４が「管理者モード」である場合の画像選択画面においては、図５（ｂ）に示す「管理モード」のＧＵＩと同様に“写真撮影”のボタンが表示されており、ＰＣ１に接続されているＷｅｂカメラ等の撮像装置により写真を撮影して画像を登録することが可能となっている。
【００６１】
ここで、上述した短コメント表示領域５０１、長コメント表示領域５０２と同様に、画像表示領域５０３もテンプレートによってサイズが異なることが考えられる。そして、図７に示す画面を経ている場合、テンプレートは既に選択されているため、画像表示領域５０３のサイズやアスペクト比も確定している。従って、“写真撮影”ボタンが操作されて写真撮影を行う際に、画像表示領域５０３のサイズやアスペクト比に応じた枠を、写真撮影時のＧＵＩに表示させることが好ましい。
【００６２】
図１４は、写真撮影時のＧＵＩの例を示す図である。図１４に示すように、ＰＯＰラベルプリンタ１０４は、撮像装置によって認識されている画像のプレビュー画面において、既に選択されているテンプレートの画像表示領域５０３のサイズやアスペクト比に応じた枠Ｔを表示させる。そして、ユーザによってシャッター操作がされることにより撮像装置によって認識されている画像を取得すると、ＰＯＰラベルプリンタ１０４は、枠Ｔ内に相当する部分を切り抜いてＨＤＤ４０等の記憶媒体に格納すると共に、新たな画像として図１３に示す画像データベースにファイルパスを登録する。このような処理により、選択されたテンプレートにおいて画像表示領域５０３の表示範囲に最適なサイズの画像を写真撮影によって登録することが可能となる。
【００６３】
このようなＧＵＩ上におけるユーザの操作の末、図５（ａ）、（ｂ）に示す“ラベル決定”ボタンが操作されることにより、ＰＯＰラベルアプリケーション１０４は、ラベルのテンプレート選択を受け付け（Ｓ４０５）、選択されたテンプレートの画像情報を生成する（Ｓ４０６）。上述したように、ラベルのテンプレートはレイアウトに含まれる情報の変更や編集を容易に行うことが可能なように、ＸＭＬ形式等のレイアウト構造の情報である。これに対して、Ｓ４０６の処理は、そのようなレイアウト構造の情報から、ビットマップ等の画像の情報を生成する処理である。
【００６４】
ここで、上述したように、短コメントや長コメントは文字情報である。従って、使用されるフォントの種類によっては、Ｓ４０６の画像変換の処理に際してレイアウトが崩れてしまうことが考えられる。そのような問題を回避するため、ＰＯＰラベルアプリケーション１０４は、図５（ａ）、（ｂ）や図７においてラベルのテンプレートを表示する際、マークアップ言語によって記述されたラベルのテンプレートに基づいて直接画像を表示するのではなく、ラベルのテンプレートをＧＤＩ（Ｇｒａｐｈｉｃｓ  Ｄｅｖｉｃｅ  Ｉｎｔｅｒｆａｃｅ）等の機能を用いて画像に変換した後の情報を用いる。このような処理により、Ｓ４０６において生成される画像情報と、図５（ａ）、（ｂ）や図７において表示される画像とのレイアウトのずれを回避することが可能となる。
【００６５】
同様に、Ｓ４０６の処理についても、ＰＯＰラベルアプリケーション１０４が有する機能によって実行されても良いし、ＰＯＰラベルアプリケーション１０４が、ＧＤＩ等の外部のモジュールに処理を委託しても良い。
【００６６】
ＰＯＰラベルアプリケーション１０４は、選択されたテンプレートの画像情報を生成すると、生成した画像情報をＳ４０３においてＰＯＳアプリケーション１０３から通知された画像の格納先に格納する（Ｓ４０７）。ここで、画像の格納先としては、ＨＤＤ４０やＲＡＭ２０が用いられる。ＨＤＤ４０が用いられる場合、ＰＯＳアプリケーション１０３は、Ｓ４０３においてＨＤＤ４０内のフォルダパスの情報を通知する。また、ＲＡＭ２０が用いられる場合、ＰＯＳアプリケーション１０３は、Ｓ４０３においてＲＡＭ２０内のアドレスの情報を通知する。
【００６７】
Ｓ４０７の処理は、ＰＯＰラベルアプリケーション１０４によって生成された画像情報を、ＰＯＳアプリケーション１０３によって生成される白黒のラベルと合成させるために出力する処理である。即ち、Ｓ４０７においては、ＰＯＰラベルアプリケーション１０４が画像情報出力部として機能する。
【００６８】
このようにして画像が文字情報等のラベル要素が選択されて出力されたラベルは、繰り返し使用されることが予想される。従って、ＰＯＰラベルアプリケーション１０４は、Ｓ４０６、Ｓ４０７の処理に際して、出力したラベルの画像に対応するテンプレート、即ち、ラベル要素の配置関係を示す配置情報を新たにＨＤＤ４０等の記憶媒体に記憶させることが好ましい。これにより、次回システムを使用する際には、新たに記憶されたテンプレートが図５（ａ）、（ｂ）に示す画面に表示されることとなり、次回からはラベル要素の選択操作が不要となるため、ユーザの利便性を向上することができる。
【００６９】
ＰＯＳアプリケーション１０３においては、Ｓ４０３において情報を通知した後、通知した格納先に情報が格納されたか否かを監視している。そして、通知した格納先に画像情報が格納されたことを検知すると（Ｓ４０８）、Ｓ４０２において選択された商品の白黒のラベルと、通知した格納先に格納された画像情報とを合成して（Ｓ４０９）、印刷出力するべきラベルの画像情報を生成する。
【００７０】
図１５は、Ｓ４０９において生成される画像情報の例を示す図である。図１５に示すように、最終的に生成されるラベルの画像においては、ＰＯＰラベルアプリケーション１０４において生成されたカラーのラベルの下に、ＰＯＳアプリケーション１０３において生成される白黒のラベルが表示された態様となっている。
【００７１】
尚、図１５に示す白黒ラベルの部分に表示された“トマト”、“生産地”、“生産者”、“出荷日”等の商品に関する情報は、予めＰＯＳアプリケーション１０３に登録されており、Ｓ４０１におけるログイン処理やＳ４０２における商品選択処理、並びに図４に示すシーケンス動作が実行された際の日付等の情報に基づいて取得され、ＰＯＳアプリケーション１０３の機能によって図１５に示すような画像が生成される。
【００７２】
即ち、図１５において下側に配置されている商品に関する情報が表示された領域が第１の領域であり、ＰＯＰラベルアプリケーション１０４によって生成されたカラーの画像が表示されている領域が、追加の情報が表示される第２の領域である。
【００７３】
図１５に示すような画像を生成したＰＯＳアプリケーション１０３は、その画像情報に基づいてプリンタドライバ１０５を起動する（Ｓ４１０）。これにより、プリンタドライバ１０５が図１５に示す画像に基づいて印刷ジョブを生成し、ローカルプリンタ２によってラベルの印刷出力が実行される。このような処理により、本実施形態に係るシステムの動作が完了する。
【００７４】
以上説明したように、本実施形態によれば、ＰＯＰラベルアプリケーション１０４の機能により、多くの情報が表示可能なラベルを簡単な操作で出力することが可能であると共に、ＰＯＰラベルアプリケーション１０４とＰＯＳアプリケーション１０３との連携動作により、既存のシステムを拡張することによって効率的にシステムを提供することができる。
【００７５】
尚、上記実施形態においては、図１において説明したようにＰＣ１とローカルプリンタ２とによってシステムが構成され、ＰＣ１にＰＯＳアプリケーション１０３及びＰＯＰラベルアプリケーション１０４がインストールされている場合を例として説明した。これに限らず、図１６に示すように、従来のＰＯＳアプリケーション１０３がインストールされているＰＣ１ａとローカルプリンタ２とのシステムに、ＰＯＰラベルアプリケーション１０４がインストールされたＰＣ１ｂを接続することによって、上記と同様の機能を実現するシステムを構成することも可能である。
【００７６】
また、図１においては、ＰＣ１にローカルプリンタ２が直接接続されている場合を例として説明したが、ＬＡＮ（Ｌｏｃａｌ  Ａｒｅａ  Ｎｅｔｗｏｒｋ）等を介して接続されたネットワークプリンタを用いることも可能である。更に、図１６に示すような例においては、夫々の装置がＬＡＮを介して接続されているような態様も可能である。
【００７７】
また、本実施形態に係るローカルプリンタ２の例としては、用紙にインクを吐出する記録ヘッドと、用紙搬送のためのローラやベルトを有し、用紙の有無を検知する例えば反射型の検知センサを用紙の記録面側上方に具備するものが挙げられる。そして、ラベルの印刷に用いられる用紙は、連続紙上に予め任意の大きさ、形状のラベルが所定間隔で打ち抜かれたラベル連続紙が好ましい。そのように打ち抜かれたラインの内側に画像が印刷されることにより、出力された用紙をそのままラベルとして用いることが可能となり、ユーザの利便性を向上することができる。
【００７８】
また、上記連続紙上におけるラベルとラベルの間の所定間隔において、上述した検知センサの検知範囲にタイミング検知用のマークが印刷されている。このマークを上述した検知センサが検知することにより、ローカルプリンタ２は、打ち抜かれたラベルの先端や後端、即ちラベルの印刷範囲を認識することができ、夫々のラベル毎の印刷開始位置を認識することが可能となる。
【００７９】
また、上記実施形態においては、ＰＯＳアプリケーション１０３のみがプリンタドライバ１０５を起動する機能を有し、ＰＯＰラベルアプリケーション１０４は生成したラベルの画像情報をＰＯＳアプリケーション１０３から通知された記憶領域に格納することによって出力する場合を例として説明した。この他、図１７に示すように、ＰＯＰラベルアプリケーション１０４が直接プリンタドライバ１０５を起動する機能を有する場合も考えられる。
【００８０】
図１７に示す例の場合、ＰＯＳアプリケーション１０３が、図１５の下側に示す白黒ラベルの画像情報をＰＯＰラベルアプリケーション１０４に受け渡し、図４においてＰＯＳアプリケーション１０３が実行していたＳ４０９、Ｓ４１０の処理をＰＯＰラベルアプリケーション１０４に実行させることが可能となる。
【００８１】
また、図１７に示す例の場合、図１５に示すようにカラーのラベルと白黒のラベルとを合成して印刷出力する場合の他、ＰＯＰラベルアプリケーション１０４の機能によって生成されたカラーのラベルのみに基づいてプリンタドライバ１０５を起動し、カラーのラベルのみを印刷出力することも可能である。
【００８２】
尚、図４の例においては、ＰＯＳアプリケーション１０３からＰＯＰラベルアプリケーション１０４に画像の格納先を通知した上で、ＰＯＰラベルアプリケーション１０４が、ＰＯＳアプリケーション１０３から通知された格納先に画像を格納する場合を例として説明した。この他、ＰＯＰラベルアプリケーション１０４が任意の格納先に画像を格納し、その格納先をＰＯＳアプリケーション１０３に通知するようにしても良い。
【符号の説明】
【００８３】
１  ＰＣ
２  ローカルプリンタ
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  コントローラ
１０１  ＵＩ制御部
１０２  通信制御部
１０３  ＰＯＳアプリケーション
１０４  ＰＯＰラベルアプリケーション
１０５  プリンタドライバ
１１０  ネットワークＩ／Ｆ
【先行技術文献】
【特許文献】
【００８４】
【特許文献１】特開２００２−１８３２４５号公報
【図１】
2014010768.tif 000003
【図２】
2014010768.tif 000004
【図３】
2014010768.tif 000005
【図４】
2014010768.tif 000006
【図５】
2014010768.tif 000007
【図６】
2014010768.tif 000008
【図７】
2014010768.tif 000009
【図８】
2014010768.tif 000010
【図９】
2014010768.tif 000011
【図１０】
2014010768.tif 000012
【図１１】
2014010768.tif 000013
【図１２】
2014010768.tif 000014
【図１３】
2014010768.tif 000015
【図１４】
2014010768.tif 000016
【図１５】
2014010768.tif 000017
【図１６】
2014010768.tif 000018
【図１７】
2014010768.tif 000019